(57)【特許請求の範囲】
【請求項１】
電力用変圧器のケースに取り付けられた複数のブッシングを保護するブッシング保護カバーにおいて、
前記複数のブッシングを一括して覆うように筒部を備えた筒状のカバー本体が形成され、
前記ブッシングの外部接続端子が入り込んで前記カバー本体を拘束する穴形状に形成されたカバー拘束用空間部が前記複数のブッシングの少なくとも１つのブッシングの外部接続端子に対応して前記カバー本体の一部が該カバー本体の筒部の内側に折り曲げられて形成される折返部または前記カバー本体の筒部の内側に貼付されるカバー拘束部材に設けられ、
前記カバー本体が前記少なくとも１つのブッシングの外部接続端子を上下方向から押圧して挟むように、前記筒部の上下内面間寸法が前記外部接続端子の上下端間寸法より若干小さく、弾力性を有する材料で形成された電力用変圧器のブッシング保護カバー。
【請求項２】
電力用変圧器のケースに取り付けられた複数のブッシングを保護するブッシング保護カバーにおいて、
前記複数のブッシングを一括して覆うように筒部を備えた筒状のカバー本体が形成され、
前記ブッシングの外部接続端子が入り込んで前記カバー本体を拘束する穴形状に形成されたカバー拘束用空間部が前記複数のブッシングの少なくとも１つのブッシングの外部接続端子に対応して前記カバー本体の一部が該カバー本体の筒部の内側に折り曲げられて形成される折返部または前記カバー本体の筒部の内側に貼付されるカバー拘束部材に設けられ、
前記カバー本体が前記複数のブッシングのうち両端のブッシングの外部接続端子または絶縁部を横方向から押圧して挟むような大きさに、弾力性を有する材料で形成された電力用変圧器のブッシング保護カバー。
【請求項３】
前記カバー拘束用空間部は、前記複数のブッシングのうち中央側のブッシングの外部接続端子に対応して設けられた請求項１または２に記載の電力用変圧器のブッシング保護カバー。
【請求項４】
電力用変圧器のケースに設けられた複数のブッシングを一括して覆うように形成された筒部を備えた筒状のカバー本体の前記筒部の内側に、前記ブッシングの外部接続端子が入り込んで前記カバー本体を拘束する穴形状に形成されたカバー拘束用空間部が前記複数のブッシングの少なくとも１つのブッシングの外部接続端子に対応して設けられ、
前記カバー本体が前記ブッシングの外部接続端子を押圧して挟むように前記筒部の上下内面間寸法が前記外部接続端子の上下端間寸法より若干小さく、弾力性を有する材料で形成されたブッシング保護カバーを、前記複数のブッシングの少なくとも１つのブッシングの外部接続端子に拘束させると共に、前記少なくとも１つのブッシングの外部接続端子を上下方向から押圧して挟むように装着した電力用変圧器のブッシング保護方法。
【請求項５】
電力用変圧器のケースに設けられた複数のブッシングを一括して覆うように形成された筒部を備えた筒状のカバー本体の前記筒部の内側に、前記ブッシングの外部接続端子が入り込んで前記カバー本体を拘束する穴形状に形成されたカバー拘束用空間部が前記複数のブッシングの少なくとも１つのブッシングの外部接続端子に対応して設けられ、
前記カバー本体が前記複数のブッシングのうち両端のブッシングの外部接続端子または絶縁部を横方向から押圧して挟むような大きさに、弾力性を有する材料で形成されたブッシング保護カバーを、前記複数のブッシングの少なくとも１つのブッシングの外部接続端子に拘束させると共に、前記複数のブッシングのうち両端のブッシングの外部接続端子または絶縁部を横方向から押圧して挟むように装着した電力用変圧器のブッシング保護方法。
【発明の詳細な説明】
【０００１】
【発明の属する技術分野】
本発明は、電力用変圧器の輸送時等にブッシングを保護するブッシング保護カバー及びブッシング保護方法に関するものである。
【０００２】
【従来の技術】
従来、電力用変圧器の輸送時等におけるブッシングの保護には、一面が開口した略直方体状の箱形に形成された厚紙製のブッシング保護カバーを、電力用変圧器のケースに取り付けられた複数のブッシングにそれぞれ覆うように取り付け、さらに各保護カバーを一括してケースの周囲に紐を巻回し、各保護カバーをケースに締め付けることが提案されている（実公昭４４−１９０３９号公報）。
【０００３】
【発明が解決しようとする課題】
しかしながら、従来では、各ブッシングに保護カバーを設けているために、製作コストが高くつく上に、紐により拘束しなければならないために、保護カバーの装着時にその作業に手間を要するという問題があった。また、保護カバーの取り外し時にその作業が必要であるという問題があった。
【０００４】
本発明の目的は、電力用変圧器のケースに取り付けられた複数のブッシングに対し、容易に一括して着脱させられ、しかも少々の外力が加わっても簡単に外れないブッシング保護カバーを提供することにある。
【０００５】
本発明の他の目的は、電力用変圧器のケースに取り付けられた複数のブッシングに対し、容易に一括して着脱させられ、しかも少々の外力が加わっても簡単に外れないブッシング保護カバーを装着したブッシング保護方法を提供することにある。
【０００６】
【課題を解決するための手段】
本発明の請求項１ないし５は、電力用変圧器のケースに取り付けられた複数のブッシングを保護するブッシング保護カバー及びそのブッシング保護カバーを装着したブッシング保護方法を対象とするものである。
【０００７】
請求項１に記載の発明は、複数のブッシングを一括して覆うように筒状のカバー本体を形成し、ブッシングの外部接続端子が入り込んでカバー本体を拘束するカバー拘束用空間部をカバー本体に複数のブッシングの少なくとも１つのブッシングに対応して設け、少なくとも１つのブッシングの外部接続端子を上下方向から挟むようにカバー本体を形成したものである。
【０００８】
請求項１に記載の発明においては、複数のブッシングを一括して覆うように筒状のカバー本体を形成し、カバー拘束用空間部をカバー本体に複数のブッシングの少なくとも１つのブッシングに対応して設け、ブッシングの外部接続端子を上下方向から挟むようにカバー本体を形成したことにより、保護カバーの着脱が容易となり、しかもカバー本体に少々の上下方向からの外力が加わっても簡単に外れない。
【０００９】
請求項２に記載の発明は、複数のブッシングを一括して覆うように筒状のカバー本体を形成し、ブッシングの外部接続端子が入り込んでカバー本体を拘束するカバー拘束用空間部をカバー本体に複数のブッシングの少なくとも１つのブッシングに対応して設け、複数のブッシングのうち両端のブッシングの外部接続端子または絶縁部を横方向から挟むようにカバー本体を形成したものである。
【００１０】
請求項２に記載の発明においては、複数のブッシングを一括して覆うように筒状のカバー本体を形成し、カバー拘束用空間部をカバー本体に複数のブッシングの少なくとも１つのブッシングに対応して設け、両端のブッシングの外部接続端子または絶縁部を横方向から挟むようにカバー本体を形成したことにより、保護カバーの着脱が容易となり、しかもカバー本体に少々の横方向からの外力が加わっても簡単に外れない。
【００１１】
【００１２】
【００１３】
【００１４】
【００１５】
【００１６】
【００１７】
請求項３に記載の発明は、カバー拘束用空間部を、複数のブッシングのうち中央側のブッシングに対応して設けたものである。
【００１８】
請求項３に記載の発明においては、カバー拘束用空間部を中央側のブッシングに対応して設けたことにより、カバー本体に横方向または水平方向の外力が加わった場合、ブッシングの外部接続端子に効果的に拘束される。
【００１９】
請求項４に記載の発明は、電力用変圧器のケースに設けられた複数のブッシングを一括して覆うように形成した筒状のカバー本体に、ブッシングの外部接続端子が入り込んでカバー本体を拘束するカバー拘束用空間部を設け、ブッシングの外部接続端子を挟むようにカバー本体を形成したブッシング保護カバーを、複数のブッシングの少なくとも１つのブッシングの外部接続端子に拘束させると共に、少なくとも１つのブッシングの外部接続端子を上下方向から挟むように装着したものである。
【００２０】
請求項４に記載の発明においては、複数のブッシングを一括して覆うように形成した筒状のカバー本体にカバー拘束用空間部を設け、ブッシングの外部接続端子を挟むようにカバー本体を形成したブッシング保護カバーを、ブッシングの外部接続端子に拘束させると共に、少なくとも１つのブッシングの外部接続端子を上下方向から挟むように装着したことにより、保護カバーの着脱が容易となっても、カバー本体に加わる少々の上下方向からの外力では簡単に外れることなくブッシングが保護される。
【００２１】
請求項５に記載の発明は、電力用変圧器のケースに設けられた複数のブッシングを一括して覆うように形成した筒状のカバー本体にカバー拘束用空間部を設け、ブッシングの外部接続端子または絶縁部を挟むようにカバー本体を形成したブッシング保護カバーを、複数のブッシングの少なくとも１つのブッシングの外部接続端子に拘束させると共に、両端のブッシングの外部接続端子または絶縁部を横方向から挟むように装着したものである。
【００２２】
請求項５に記載の発明においては、複数のブッシングを一括して覆うように形成した筒状のカバー本体にカバー拘束用空間部を設け、ブッシングの外部接続端子または絶縁部を挟むようにカバー本体を形成したブッシング保護カバーを、ブッシングの外部接続端子に拘束させると共に、両端のブッシングの外部接続端子または絶縁部を横方向から挟むように装着したことにより、保護カバーの着脱が容易となっても、カバー本体に加わる少々の横方向からの外力では簡単に外れることなくブッシングが保護される。
【００２３】
【発明の実施の形態】
＜実施の形態１＞
図１は本発明の実施の形態１に係るブッシング保護カバーの斜視図、図２は本発明の実施の形態１に係るブッシング保護カバーを丸形の電力用変圧器に装着した状態を示す斜視図、図３はその正面図である。
【００２４】
図２に示すように、電力用変圧器のケース１には、例えば３つの同形状の２次側ブッシング２ａ，２ｂ，２ｃが所定の間隔をもって略同一水平線上に取り付けられており、ブッシング保護カバー３がこの３つのブッシング２ａ，２ｂ，２ｃを一括して覆うように設けられている。なお、図示しない１次側ブッシングは、他方式のブッシング保護カバーにより保護されている。
【００２５】
本実施の形態に係るブッシング保護カバーの構成については、カバー本体３Ａの筒部３A1が、２つの開口部を有して筒状に形成されており、ケース１側の開口部を第１開口部３ａとし、反対側の開口部を第２開口部３ｂとし、共に例えば矩形状に形成され、またブッシング２ａ，２ｂ，２ｃの外部接続端子２aa，２bb，２ccの先端部が第２開口部３ｂから出ないように、所定の奥行き長さに形成されている。なお、第２開口部３ｂの面は直線上に形成されている。また、ブッシング２ａ，２ｂ，２ｃの外部接続端子２aa，２bb，２ccの少なくとも１つ、例えば中央側のブッシング２ｂの外部接続端子２bbに拘束させるように、外部接続端子の端部が入り込む形状、すなわち穴形状に形成されたカバー拘束用空間部３c1が、カバー本体３Ａの例えば下側の一部が折り曲げられて第１開口部３ａ側に形成される折曲部３ｄで筒部３A1の内側に折り曲げられた折返部３A2に、ブッシング２ｂの外部接続端子２bbの位置に対応して設けられている。さらに、外部接続端子２aa，２bb，２ccの上下端を上下から挟むように、カバー本体３Ａの折返部３A2の厚みを除いたカバー本体３Ａの上下内面間寸法が外部接続端子２aa，２bb，２ccの上下端間寸法より若干小さくした、弾力性を有する材料、例えば段ボール紙、厚紙等からなっている。また、筒部３A1の第１開口部３ａ側の上端部と第１開口部３ａ側に形成される折曲部３ｄの端部との一部がそれぞれケース１の周面形状（円弧状）に形成されると共に、周面形状が上下方向にそれぞれ対応している。
【００２６】
本実施の形態に係るブッシング保護カバーの製作については、シート状の段ボール紙から、上記筒部３A1及び折返部３A2に相当するように所定形状に、また上記筒部３A1の第１開口部３ａ側の上端部が所定形状に、さらに上記第１開口部３ａ側に形成される折曲部３ｄの端部に相当する部分の所定箇所が所定穴形状に、またカバー拘束用空間部３c1として折返部３A2の所定箇所が所定穴形状にシヤーにより同時に切断され、カバー本体３Ａが作製される。つぎに、矩形状の開口部を有するカバー本体３Ａを形成するために、所定の４箇所に折り目を入れる。つづいて、折返部３A2に相当する部分を折り返した状態で接合部３ｅ，３ｅ同士を重ね合わせ、最後に接合部同士を例えば接着剤により接合する。
【００２７】
本実施の形態に係るブッシング保護カバーの装着については、第１開口部３ａをケース１側に向け、第１開口部３ａの上端部と第１開口部３ａ側に形成される折曲部３ｄの端部とのそれぞれの中央部を上下に若干広げた状態で、ケース１側に持っていきながら上記中央部をブッシング２ｂの位置に合わせ、外部接続端子２aa，２bb，２ccを上下から自然に挟む状態にする。つぎに、この状態で第１開口部３ａ側の上端部と第１開口部３ａ側に形成される折曲部３ｄの端部とがケース１の周面に突き当たるまで押し込み、第１開口部３ａ側の上端部と第１開口部３ａ側に形成される折曲部３ｄの端部とをケース１の周面に当接させながらカバー拘束用空間部３c1をブッシング２ｂの外部接続端子２bbの位置に合わせると、カバー拘束用空間部３c1にブッシング２ｂの外部接続端子２bbが入り込む。
【００２８】
このように、保護カバーの着脱が容易となり、また保護カバーの製作が容易となる。しかも、カバー拘束用空間部３c1にブッシング２ｂの外部接続端子２bbが入り込むことによって、カバー本体３Ａに少々の水平方向の外力が加わっても保護カバーは簡単に外れない。また、外部接続端子２aa，２bb，２ccを上下から挟むことによって、カバー本体に少々の上下方向の外力が加わっても保護カバーは簡単に外れない。さらに、第１開口部３ａ側の上端部と第１開口部３ａ側に形成される折曲部３ｄの端部とをケース１の周面に当接させるように形成することによって、カバー本体にケース方向の外力が加わっても保護カバーは外れない。
【００２９】
＜参考例１＞
図４は本発明の参考例１に係るブッシング保護カバーの斜視図であり、丸形の電力用変圧器に適用される例を示している。
【００３０】
本実施の形態に係るブッシング保護カバーの構成については、実施の形態１に対し、折返部３A2に設けられるカバー拘束用空間部３c2が、ブッシングの外部接続端子の端部が入り込む形状、すなわち開口部がケース１に面するように切り込み形状に形成されると共に、ブッシング２ｂの外部接続端子２bbの位置に対応して設けられており、他は同じである。
【００３１】
本実施の形態に係るブッシング保護カバーの製作については、実施の形態１に対し、カバー拘束用空間部３c2として、折返部３A2の所定箇所が所定の切り込み形状に切断されており、他は同じである。
【００３２】
本実施の形態に係るブッシング保護カバーの装着については、第１開口部３ａをケース１側に向け、第１開口部３ａ側の上端部と第１開口部３ａ側に形成される折曲部３ｄの端部とのそれぞれの中央部を上下に若干広げた状態で、ケース１側に持っていきながらカバー拘束用空間部３c2の開口部にブッシング２ｂの外部接続端子２bbが入り込む状態にする。つぎに、この状態で第１開口部３ａ側の上端部と第１開口部３ａ側に形成される折曲部３ｄの端部とがケース１の周面に突き当たるまで押し込むと、カバー拘束用空間部３c2にブッシング２ｂの外部接続端子２bbが完全に入り込む。
【００３３】
このように、実施の形態１よりも保護カバーの着脱がさらに容易となる。しかも、カバー拘束用空間部３c2にブッシング２ｂの外部接続端子２bbが入り込むことによって、カバー本体３Ａに少々の横方向の外力が加わっても保護カバーは簡単に外れない。また、外部接続端子２aa，２bb，２ccを上下から挟むことによって、カバー本体に少々の上下方向の外力が加わっても保護カバーは簡単に外れない。さらに、第１開口部３ａ側の上端部と第１開口部３ａ側に形成される折曲部３ｄの端部とをケース１の周面に当接させるように形成することによって、カバー本体にケース方向の外力が加わっても保護カバーは外れない。
【００３４】
＜実施の形態２＞
図５は本発明の実施の形態２に係るブッシング保護カバーの斜視図であり、丸形の電力用変圧器に適用される例を示している。
【００３５】
本実施の形態に係るブッシング保護カバーの構成については、実施の形態１に対し、ブッシング２ｂの外部接続端子２bbに拘束させるように、外部接続端子の端部が入り込む形状、すなわち穴形状に形成されたカバー拘束用空間部３c1を設けた、カバー本体３Ａ'を構成する例えば矩形状のカバー拘束部材３A3が、カバー本体３Ａ'の筒部３A1の例えば下側内面に、ブッシング２ｂの外部接続端子２bbの位置に対応して貼付される。また、筒部３A1の第１開口部３ａ側の上端部及び下端部の一部がそれぞれケース１の周面形状（円弧状）に形成されており、他は同じである。
【００３６】
本実施の形態に係るブッシング保護カバーの製作については、実施の形態１に対し、筒部３A1の第１開口部３ａ側の下端部が所定形状に切断される。つぎに、カバー拘束用空間部３c1が形成されるようにシヤーによりすでに打ち抜かれたカバー拘束部材３A3が、カバー本体３Ａ'の筒部３A1の内面に、ブッシング２ｂの外部接続端子２bbの位置に対応して接着剤により貼り付けられており、他は同じである。
【００３７】
本実施の形態に係るブッシング保護カバーの装着については、第２開口部３ｂをケース１側に向け、第１開口部３ａ側の上端部及び下端部のそれぞれの中央部を上下に若干広げた状態で、ケース１側に持っていきながら上記中央部をブッシング２ｂの位置に合わせ、外部接続端子２aa，２bb，２ccを上下から自然に挟む状態にする。つぎに、この状態でカバー拘束部材３A3の端部がブッシング２ｂの外部接続端子２bbに当たる位置までケース１側に押し込む。つづいて、上記中央部を上下にさらに若干広げた状態で、第１開口部３ａ側の上端部及び下端部がケース１の周面に突き当たるまで押し込み、第１開口部３ａ側の上端部及び下端部をケース１の周面に当接させながらカバー拘束用空間部３c1をブッシング２ｂの外部接続端子２bbの位置に合わせると、カバー拘束用空間部３c1にブッシング２ｂの外部接続端子２bbが入り込む。
【００３８】
このように、実施の形態１よりも材料の無駄がなくなる。しかも、カバー拘束用空間部３c2にブッシング２ｂの外部接続端子２bbが入り込むことによって、カバー本体３Ａ'に少々の水平方向の外力が加わっても保護カバーは簡単に外れない。また、外部接続端子２aa，２bb，２ccを上下から挟むことによって、カバー本体に少々の上下方向の外力が加わっても保護カバーは簡単に外れない。さらに、第１開口部３ａ側の上端部及び下端部とをケース１の周面に当接させることによって、カバー本体にケース方向の外力が加わっても保護カバーは外れない。
【００３９】
＜参考例２＞
図６は本発明の参考例２に係るブッシング保護カバーの斜視図であり、丸形の電力用変圧器に適用される例を示している。
【００４０】
本実施の形態に係るブッシング保護カバーの構成については、実施の形態３に対し、カバー本体３Ａ'を構成する例えば矩形状のカバー拘束部材３A3に設けられるカバー拘束用空間部３c2が、ブッシングの外部接続端子の端部が入り込む形状、すなわち開口部がケース１に面するように切り込み形状に形成されており、他は同じである。
【００４１】
本実施の形態に係るブッシング保護カバーの製作については、実施の形態３に対し、カバー拘束用空間部３c2として、カバー拘束部材３A3の所定箇所が切り込み形状に切断されており、他は同じである。
【００４２】
本実施の形態に係るブッシング保護カバーの装着については、第１開口部３ａをケース１側に向け、第１開口部３ａ側の上端部及び下端部とのそれぞれの中央部を上下に若干広げた状態で、ケース１側に持っていきながらカバー拘束用空間部３c2の開口部にブッシング２ｂの外部接続端子２bbが入り込む状態にする。つぎに、この状態で第１開口部３ａ側の上端部及び下端部とがケース１の周面に突き当たるまで押し込むと、カバー拘束用空間部３c2にブッシング２ｂの外部接続端子２bbが完全に入り込む。
【００４３】
このように、実施の形態３よりも保護カバーの着脱がさらに容易となる。しかも、カバー拘束用空間部３c2にブッシング２ｂの外部接続端子２bbが入り込むことによって、カバー本体３Ａ'に少々の横方向の外力が加わっても保護カバーは簡単に外れない。また、外部接続端子２aa，２bb，２ccを上下から挟むことによって、カバー本体に少々の上下方向の外力が加わっても保護カバーは簡単に外れない。さらに、第１開口部３ａ側の上端部及び下端部とをケース１の周面に当接させることによって、カバー本体にケース方向の外力が加わっても保護カバーは外れない。
【００４４】
上記の各実施の形態においては、カバー拘束用空間部を中央側のブッシングに対応して設けたが、両端または全てのブッシングに対応して設けると、保護カバーが非常に強固に拘束される。
【００４５】
また、上記の各実施の形態においては、ブッシング保護カバーを丸形状の電力用変圧器に適用した例を示したが、筒部の第１開口部側の端部を直線状に形成すれば、矩形状の電力用変圧器に適用できることは勿論のことである。
【００４６】
さらに、上記の各実施の形態においては、ブッシングの外部接続端子を上下方向から挟むような大きさに形成した例を示したが、ブッシング保護カバーを丸形状の電力用変圧器に適用する場合、両端のブッシングの外部接続端子を横方向から挟むような大きさに形成してもよい。また、ブッシング保護カバーを矩形状の電力用変圧器に適用する場合、両端のブッシングの絶縁部を横方向から挟むような大きさに形成してもよい。
【００４７】
また、ブッシング保護カバーは、段ボール紙、厚紙等のシート状材に限定されるものではなく、化学製品のシート状材が使用できることは勿論のことであり、また一体成形されてもよい。
【００４８】
【発明の効果】
以上のように、請求項１に記載した発明によれば、複数のブッシングを一括して覆うように筒状のカバー本体を形成し、カバー拘束用空間部をカバー本体に複数のブッシングの少なくとも１つのブッシングに対応して設け、ブッシングの外部接続端子を上下方向から挟むようにカバー本体を形成したので、保護カバーの着脱が容易となり、しかもカバー本体に少々の上下方向からの外力が加わっても簡単に外れないようにすることができる。
【００４９】
請求項２に記載した発明によれば、複数のブッシングを一括して覆うように筒状のカバー本体を形成し、カバー拘束用空間部をカバー本体に複数のブッシングの少なくとも１つのブッシングに対応して設け、両端のブッシングの外部接続端子または絶縁部を横方向から挟むようにカバー本体を形成したので、保護カバーの着脱が容易となり、しかもカバー本体に少々の横方向からの外力が加わっても簡単に外れないようにすることができる。
【００５０】
【００５１】
【００５２】
【００５３】
請求項３に記載した発明によれば、カバー拘束用空間部を中央側のブッシングに対応して設けたので、カバー本体に横方向または水平方向の外力が加わった場合、ブッシングの外部接続端子に効果的に拘束することができる。
【００５４】
請求項４に記載した発明によれば、複数のブッシングを一括して覆うように形成した筒状のカバー本体にカバー拘束用空間部を設け、ブッシングの外部接続端子を挟むようにカバー本体を形成したブッシング保護カバーを、ブッシングの外部接続端子に拘束させると共に、少なくとも１つのブッシングの外部接続端子を上下方向から挟むように装着したので、保護カバーの着脱が容易となっても、カバー本体に加わる少々の上下方向からの外力では簡単に外れることなくブッシングを保護することができる。
【００５５】
請求項５に記載した発明によれば、複数のブッシングを一括して覆うように形成した筒状のカバー本体にカバー拘束用空間部を設け、ブッシングの外部接続端子または絶縁部を挟むようにカバー本体を形成したブッシング保護カバーを、ブッシングの外部接続端子に拘束させると共に、両端のブッシングの外部接続端子または絶縁部を横方向から挟むように装着したので、保護カバーの着脱が容易となっても、カバー本体に加わる少々の横方向からの外力では簡単に外れることなくブッシングを保護することができる。
【図面の簡単な説明】
【図１】  本発明の実施の形態１に係るブッシング保護カバーの斜視図である。
【図２】  本発明の実施の形態１に係るブッシング保護カバーを丸形の電力用変圧器に装着した状態を示す斜視図である。
【図３】  本発明の実施の形態１に係るブッシング保護カバーを丸形の電力用変圧器に装着した状態を示す正面図である。
【図４】  本発明の参考例１に係るブッシング保護カバーの斜視図である。
【図５】  本発明の実施の形態２に係るブッシング保護カバーの斜視図である。
【図６】  本発明の参考例２に係るブッシング保護カバーの斜視図である。
【符号の説明】
１  電力用変圧器のケース
２ａ，２ｂ，２ｃ  ２次側ブッシング
２aa，２bb，２cc  外部接続端子
３  ブッシング保護カバー
３Ａ  ，３Ａ'  カバー本体
３A1  筒部
３A2  折返部
３A3  カバー拘束部材
３ａ  第１開口部
３ｂ  第２開口部
３c1，３c2  カバー拘束用空間部
３ｄ  折曲部
３ｅ  接合部
【図１】
0004177000.tif 000002
【図２】
0004177000.tif 000003
【図３】
0004177000.tif 000004
【図４】
0004177000.tif 000005
【図５】
0004177000.tif 000006
【図６】
0004177000.tif 000007